(57)【要約】【課題】研磨布を簡単に着脱できると共に、研磨布設定のトラブルを防止し得るパチンコ球揚送研磨装置およびその装置に使用する研磨布を提供する。【解決手段】装置枠１の上下部に回転ローラ３，４を配設し、該回転ローラの間に無端状の揚送ベルト５を張架し、内面に研磨布１３ａ，１３ｂと該研磨布を押圧する弾性パッド１１ａ，１１ｂが設けられた押圧カバーを該研磨布が該揚送ベルトの上昇側表面と対向するように装着し、揚送ベルトを駆動しパチンコ球Ｐを該研磨布を介して該揚送ベルトに押し付けることにより、該パチンコ球を自転させつつ揚送するパチンコ球揚送研磨装置であって、研磨布１３ａ，１３ｂを弾性パッド１１ａ，１１ｂよりも幅広に裁断し、該研磨布の両側縁を装置枠の前面と押圧カバーとの隙間３７から外に突出させると共に、突出した該研磨布の両側縁に該隙間を通過不能にする膨部１５を形成してなる。【選択図】図３
2008073116.tif 000002
【特許請求の範囲】
【請求項１】
装置枠の上下部に回転ローラを配設し、該回転ローラの間に無端状の揚送ベルトを張架し、内面に研磨布と該研磨布を押圧する弾性パッドが設けられた押圧カバーを該研磨布が該揚送ベルトの上昇側表面と対向するように装着し、揚送ベルトを駆動しパチンコ球を該研磨布を介して該揚送ベルトに押し付けることにより、該パチンコ球を自転させつつ揚送するパチンコ球揚送研磨装置であって、研磨布を弾性パッドよりも幅広に裁断し、該研磨布の両側縁を装置枠の前面と押圧カバーとの隙間から外に突出させると共に、突出した該研磨布の両側縁に該隙間を通過不能にする膨部が形成されていることを特徴としたパチンコ球揚送研磨装置。
【請求項２】
定幅の研磨布の両側縁に抜止用の膨部を平行に形成してなることを特徴としたパチンコ球揚送研磨装置用研磨布。
【請求項３】
定幅に裁断された研磨布の両側縁を内側に折り返して可撓性部材を包持し逢着することにより膨部を平行に形成してなることを特徴としたパチンコ球揚送研磨装置用研磨布。
【発明の詳細な説明】
【技術分野】
【０００１】
本発明は、パチンコ機設置島の下部に貯留されたパチンコ球を上部の貯留タンクに揚送すると共に、揚送中にパチンコ球の汚れが落とされるようにしたパチンコ球揚送研磨装置およびその装置に使用する研磨布に関するものである。
【背景技術】
【０００２】
パチンコ球揚送研磨装置は、下記特許文献１に示されたように、装置枠の上下部に回転ローラを配設し、該回転ローラの間に無端状の揚送ベルトを張架し、内面に研磨布と該研磨布を押圧する弾性パッドが設けられた押圧カバーを該研磨布が該揚送ベルトの上昇側表面と対向するように装着し、モータによって揚送ベルトを駆動し、パチンコ球を該研磨布を介して該揚送ベルトに押し付けることにより、該パチンコ球を自転させつつ揚送し、該研磨布との摩擦によりパチンコ球が研磨され汚れが落ちるように構成したものである。
【特許文献１】特許第３６０１９６８号公報
【０００３】
図１１は、上記のような従来のパチンコ球揚送研磨装置の一例を示す水平断面図で、同図中、ａは装置枠、ｂは揚送ベルト、ｃは装置枠ａの前面に装着される押圧カバーで、該押圧カバーの内面に弾性パッドｄが設けられ、研磨布ｅは両側縁を該押圧カバーｃの内側縁に形成されたスリット状溝ｆに差し込むことにより該弾性パッドｄを覆うように張設される。
【発明の開示】
【発明が解決しようとする課題】
【０００４】
ところで上記のように研磨布ｅが張設されていると、同図に示したようにパチンコ球がない状態では該研磨布ｅが弓なりになって揚送ベルトｂと接触し易いので、該研磨布ｅおよび揚送ベルトｂを摩耗させ耐久性を低下させるおそれがある。
また、研磨布ｅは、汚れを落とすために洗濯して繰り返し使用されるが、洗濯によって縮むと図１２に示したように研磨布ｅと揚送ベルトｂとの間にパチンコ球Ｐが位置することで、研磨布ｅが一方に引っ張られてしまい、パチンコ球が弾性パッドｄと該研磨布ｅとの間に潜り込んでしまって揚送不能になるトラブルを発生するおそれがあった。また、このようなトラブルを回避するため、従来ではかなり広めの研磨布を用意しなければならず、そのために上記のように揚送ベルトｂにより接触し易い状態となるという問題があった。
また、従来の研磨布ｅは、交換する度にその両側縁をスリット状溝ｆに差し込まねばならなかったので手間が掛かり、作業性が悪いという問題もあった。
本発明は、このような問題点を解決し得るパチンコ球揚送研磨装置、およびその装置に使用する研磨布を提供しようとするものである。
【課題を解決するための手段】
【０００５】
そのために請求項１に記載したパチンコ球揚送研磨装置の発明は、装置枠の上下部に回転ローラを配設し、該回転ローラの間に無端状の揚送ベルトを張架し、内面に研磨布と該研磨布を押圧する弾性パッドが設けられた押圧カバーを該研磨布が該揚送ベルトの上昇側表面と対向するように装着し、揚送ベルトを駆動しパチンコ球を該研磨布を介して該揚送ベルトに押し付けることにより、該パチンコ球を自転させつつ揚送するパチンコ球揚送研磨装置であって、研磨布を弾性パッドよりも幅広に裁断し、該研磨布の両側縁を装置枠の前面と押圧カバーとの隙間から外に突出させると共に、突出した該研磨布の両側縁に該隙間を通過不能にする膨部が形成されていることを特徴とする。
また、請求項２に記載したパチンコ球揚送研磨装置用研磨布の発明は、定幅の研磨布の両側縁に抜止用の膨部を平行に形成してなることを特徴とする。
また、請求項３に記載したパチンコ球揚送研磨装置用研磨布の発明は、定幅に裁断された研磨布の両側縁を内側に折り返して可撓性部材を包持し逢着することにより膨部を平行に形成してなることを特徴とする。
【発明の効果】
【０００６】
本発明に係るパチンコ球揚送研磨装置およびその研磨布によれば、研磨布を簡単に着脱できると共に、上記のように研磨布が片側にのみ引っ張り込まれるというトラブルを確実に防止することができる。
【発明を実施するための最良の形態】
【０００７】
次に本発明の実施形態を図面に従い説明する。図１は本発明に係る揚送研磨装置の斜視図、図２はこの揚送研磨装置の縦断面図、図３はこの揚送研磨装置の水平断面図である。図中、１は基部２上に鉛直に樹立された横断面略コ字形の装置枠で、該装置枠の下部と上部にそれぞれ回転ローラ３，４が配設され、該回転ローラ間に無端状の揚送ベルト５が張架される。６は回転ローラ３を矢印の方向に回転させ揚送ベルト５を矢印の方向に駆動するモータである。基部２には球流入口７が設けられ、該球流入口にパチンコ機設置島の下部に溜まったパチンコ球が集合し流入する。また、装置枠１の上端縁には球流出口８が設けられ、該球流出口から流出したパチンコ球はパチンコ機設置島上部の貯留タンクに貯められる。なお、９は揚送ベルト５を内側から支持するために装置枠１内に設けられたバックアップローラである。
【０００８】
１０ａ〜１０ｃは押圧カバーで、該押圧カバーは上部押圧カバー１０ａと中央部押圧カバー１０ｂと下部押圧カバー１０ｃとに３分割され、それぞれ装置枠１の前面に着脱自在に装着される。該各押圧カバー１０ａ〜１０ｃの内面には、密度が３０〜９０ｋｇ／ｍ３のポリエステル系軟質ウレタンフォームからなる弾性パッド１１ａ〜１１ｃが固設され、図４及び図５に示したように、該弾性パッドの揚送ベルト５との対向面には、深さがパチンコ球の半径より小さい横断面円弧状の縦方向案内溝１２が複数条形成されている。なお、１６ａ，１６ｂは上部押圧カバー１０ａおよび中央部押圧カバー１０ｂの下縁部寄り前面に水平片持ちアーム状に突設された引掛腕である。
【０００９】
１３ａ，１３ｂは厚さ１ｍｍ程度のマイクロファイバー等の強靱な織布を定幅（前記弾性パッド１１ａ，１１ｂよりも幅広）に裁断した研磨布で、該研磨布の両側縁を内側に折り返し、例えばロープのような厚さのある可撓性部材１４を包持し逢着することにより膨部１５を平行に形成してなる。また、研磨布１３ａ，１３ｂの長手方向の一端にはスリーブ状の引掛部１７ａ，１７ｂが形成されている。
この研磨布１３ａ，１３ｂは、前記引掛腕１６ａ，１６ｂに引掛部１７ａ，１７ｂを挿通すると共に、図４に示したように前記膨部１５が該各押圧カバー１０ａ，１０ｂの両側にはみ出るように該各押圧カバー１０ａ，１０ｂの下縁から内側に引き回し、該研磨布の他端１８ａ，１８ｂを該押圧カバーの上縁から前面に回すことにより、該各押圧カバーの内側であって弾性パッド１１ａ，１１ｂの表面に該研磨布１３ａ，１３ｂが張設されるようにする。なお、この実施形態では下部押圧カバー１０ｃには研磨布は設けられないが、上部押圧カバー１０ａや中央部押圧カバー１０ｂと同様に設けてもよい。Ｐは揚送途中にあるパチンコ球を示す。
【００１０】
また、装置枠１の上端部両側縁には図６に示し，図７，図８に拡大して示したように、下方に向けて開口する鉤状の受金具２０をそれぞれ突設し、該受金具２０より下方に少し間隔を置いた装置枠１の両側縁に前方に向けて開口する受金具２１をそれぞれ突設し、該受金具２１には該開口を開閉し得るように鉤状のフック２２が回転自在に設けられる。また、上部押圧カバー１０ａの上端部両側縁に一対の係合ピン２３を突設し、該係合ピン２１の基部にワッシャー２４を嵌着し、上部押圧カバー１０ａの下端部両側縁には一対の係合ピン２５を突設し、該係合ピン２５の基部にワッシャー２６を嵌着してなる。このため、上部押圧カバー１０ａを装置枠１に装着するに際しては、図７に示したように係合ピン２３を下方から突き上げて下方に向けて開口する受金具２０に合致させて係合状態とした後、該上部押圧カバー１０ａを装置枠１の前面に押し付け、係合ピン２５を受金具２１に合致させ、図８に示したようにフック２２を該係合ピン２５に係合させることで該係合ピン２５が受金具２１から抜け出ないようにする。
【００１１】
また、図９に示し，図１０に拡大して示したように、装置枠１の中央部の一側縁に一対の蝶番２８を設け中央部押圧カバー１０ｂを該蝶番２８によって装置枠１の中央部前面に開閉自在に設けると共に、該装置枠１の中央部の他側縁に一対の鉤状部材２９を支軸３０に枢着し、該鉤状部材２９どうしを連結杆３１の両端部に突設された連結ピン３１ａ，３１ｂを介して連結し、該連結杆３１に設けられた摘子３２を操作することにより該鉤状部材２９が仮想線で示したように回転するようにし、中央部押圧カバー１０ｂの他側縁に一対の係合ピン３３を突設してなる。このため、該中央部押圧カバー１０ｂは、図１０に示したように装置枠１の前面に押し付けて係合ピン３３に鉤状部材２９を係合させることで閉状態に保持される。なお、下部押圧カバー１０ｃはこの中央部押圧カバー１０ｂと同様に一対の蝶番３５によって装置枠１の下部前面に開閉自在に設けられ、該下部押圧カバー１０ｃの他側縁は装置枠１の下部他側縁に設けられた一対のクランプ金具３６に係脱させることで開閉可能に設けられる。
【００１２】
このように装置枠１の前面に押圧カバー１０ａ〜１０ｃを装着することにより、図４に示したように研磨布１３ａ，１３ｂの両側縁を装置枠１の前面と押圧カバー１０ａ，１０ｂとの隙間３７から外に突出させる。なお該隙間３７は、研磨布１３ａ，１３ｂを抵抗なく通過させるも、膨部１５は通過不能となるように設定される。
【００１３】
こうして押圧カバー１０ａ〜１０ｃを装着することにより、弾性パッド１１ａ，１１ｂは弾性により研磨布１３ａ，１３ｂを介して（押圧カバー１０ｃでは弾性パッド１１ｃが直接）パチンコ球Ｐを揚送ベルト５に押し付けるようになるので、その状態でモータ６により揚送ベルト５を上向きに駆動することにより、該パチンコ球Ｐは挟着状態で自転しながら縦方向案内溝１２に沿って揚送されることとなる。その際、図５に示したように該パチンコ球Ｐは弾性パッド１１ａ〜１１ｃを球面状に窪ませることから、図３に示したように研磨布１３ａ，１３ｂは幅方向に引っ張られることとなるが、両側縁に形成された膨部１５が隙間３７を通過できないことから、従来のように研磨布１３ａ，１３ｂの片側のみが引っ張り込まれてしまうことなく、図３に示したように左右が略々均等に引っ張られるようになる。このため、パチンコ球が弾性パッドｄと該研磨布ｅとの間に潜り込んでしまって揚送不能になるようなトラブルが発生しないと共に、研磨布の幅を従来のように必要以上に広くしなくてもよいので、揚送ベルト５との接触による摩耗の程度も軽減され耐久性が向上する。
【００１４】
なお、この揚送研磨装置において、上部押圧カバー１０ａの研磨布１３ａを交換するに際しては、フック２２を係脱操作すれば装置枠１の上部にまで手が届かなくても脚立に乗らないで上部押圧カバー１０ａを簡単に安全に着脱することができる。また、鉤状部材２９を係脱することにより中央部押圧カバー１０ｂを開閉でき、研磨布１３ｂを簡単に交換することができる。また、下部押圧カバー１０ｃを開閉し弾性パッド１１ｃを交換するなどのメンテナンス作業をすることができる。
【００１５】
また、研磨布１３ａ，１３ｂは、スリーブ状の引掛部１７ａ，１７ｂを引掛腕１６ａ，１６ｂに挿通し、押圧カバーの下縁から内側に引き回し、他端を押圧カバーの上縁から前面に回すだけで、簡単に張設でき、従来のように研磨布の両側縁を押圧カバーのスリット状溝等に差し込むような手間を要しないので、交換も容易となり作業性を向上させる。
【００１６】
なお、この実施形態では、押圧カバーを上下に３分割した例を示したが、分割されてないものであっても、或いは３以上に分割してもよい。
【図面の簡単な説明】
【００１７】
【図１】本発明に係るパチンコ球揚送研磨装置の斜視図。
【図２】本発明に係るパチンコ球揚送研磨装置の縦断面図。
【図３】本発明に係るパチンコ球揚送研磨装置の水平断面図。
【図４】本発明に係るパチンコ球揚送研磨装置の研磨布取付時の水平断面図。
【図５】本発明に係るパチンコ球揚送研磨装置の弾性パッドと研磨布の斜視図。
【図６】本発明に係るパチンコ球揚送研磨装置の上部カバー板を着脱する際の斜視図。
【図７】本発明に係るパチンコ球揚送研磨装置の上部カバー板を着脱する際の側面図。
【図８】本発明に係るパチンコ球揚送研磨装置の上部カバー板の装着状態を示す側面図。
【図９】本発明に係るパチンコ球揚送研磨装置の中央部カバー板の開閉状態を示す斜視図。
【図１０】本発明に係るパチンコ球揚送研磨装置の中央部カバー板を開閉する際の側面図。
【図１１】従来のパチンコ球揚送研磨装置の水平断面図。
【図１２】従来のパチンコ球揚送研磨装置の水平断面図。
【符号の説明】
【００１８】
１                装置枠
３，４            回転ローラ
５                揚送ベルト
６                モータ
７                球流入口
８                球流出口
１０ａ            上部押圧カバー
１０ｂ            中央部押圧カバー
１０ｃ            下部押圧カバー
１１ａ〜１１ｃ    弾性パッド
１２              縦方向案内溝
１３ａ，１３ｂ    研磨布
１５              膨部
１６ａ，１６ｂ    引掛腕
１７ａ，１７ｂ    引掛部
１８ａ，１８ｂ    研磨布の他端
２０，２１        受金具
２３，２５        係合ピン
３７              隙間
Ｐ                パチンコ球
【図１】
2008073116.tif 000003
【図２】
2008073116.tif 000004
【図３】
2008073116.tif 000005
【図４】
2008073116.tif 000006
【図５】
2008073116.tif 000007
【図６】
2008073116.tif 000008
【図７】
2008073116.tif 000009
【図８】
2008073116.tif 000010
【図９】
2008073116.tif 000011
【図１０】
2008073116.tif 000012
【図１１】
2008073116.tif 000013
【図１２】
2008073116.tif 000014